(57)【要約】【課題】  本発明は、伝送制御信号を受信するための待機電力を削減することができる伝送制御信号受信装置及びそれを用いた地上デジタルテレビジョン放送受信機を提供することを目的とする。【解決手段】  ＯＦＤＭ信号を構成する複数のキャリアのうち定められた周波数のキャリアを通過させる帯域フィルタ手段３０と、帯域フィルタ手段の出力信号を直交検波して前記キャリアの直交検波出力を得る直交検波手段３４と、直交検波出力を遅延検波して前記キャリアによって伝送された伝送制御信号を得る遅延検波手段４２を有する。【選択図】        図４
2005333512.tif 000002
【特許請求の範囲】
【請求項１】
ＯＦＤＭ信号を構成する複数のキャリアのうち定められた周波数のキャリアを通過させる帯域フィルタ手段と、
前記帯域フィルタ手段の出力信号を直交検波して前記キャリアの直交検波出力を得る直交検波手段と、
前記直交検波出力を遅延検波して前記キャリアによって伝送された伝送制御信号を得る遅延検波手段を
有することを特徴とする伝送制御信号受信装置。
【請求項２】
請求項１記載の伝送制御信号受信装置において、
前記帯域フィルタ手段は、デジタルフィルタで構成され、予め求められたフィルタ係数を入れ替えて、通過させる希望周波数のキャリアを切り替えることを特徴とする伝送制御信号受信装置。
【請求項３】
請求項２記載の伝送制御信号受信装置において、
前記直交検波手段が出力する直交検波出力を間引いて前記遅延検波手段に供給するサンプリングレート変換手段を
有することを特徴とする伝送制御信号受信装置。
【請求項４】
請求項１乃至３のいずれかに記載の伝送制御信号受信装置において、
前記直交検波出力の低域成分を通過させて前記遅延検波手段に供給する低域フィルタ手段を
有することを特徴とする伝送制御信号受信装置。
【請求項５】
請求項１乃至４のいずれかに記載の伝送制御信号受信装置において、
前記ＯＦＤＭ信号は、地上デジタルテレビジョン放送信号であり、
前記遅延検波手段の出力する伝送制御信号から緊急警報放送用起動フラグを検出する検出手段を
有することを特徴とする伝送制御信号受信装置。
【請求項６】
請求項５記載の伝送制御信号受信装置において、
前記帯域フィルタ手段に供給される信号を地上デジタルテレビジョン放送チューナのＦＦＴ処理部に供給することを特徴とする伝送制御信号受信装置。
【請求項７】
請求項５または６記載の伝送制御信号受信装置を有する地上デジタルテレビジョン放送受信機であって、
前記伝送制御信号受信装置が伝送制御信号中の緊急警報放送用起動フラグを検出した場合に、地上デジタルテレビジョン放送受信機のチューナの復調／復号部に電源を供給することを特徴とする地上デジタルテレビジョン放送受信機。
【発明の詳細な説明】
【技術分野】
【０００１】
本発明は、伝送制御信号受信装置及びそれを用いた地上デジタルテレビジョン放送受信機に関し、地上デジタルテレビジョン放送の伝送制御信号を受信する伝送制御信号受信装置及びそれを用いた地上デジタルテレビジョン放送受信機に関する。
【背景技術】
【０００２】
図１は、従来の緊急警報放送を受信するアナログテレビジョン放送受信機の一例のブロック図を示す。受信アンテナ１から出力されるアンテナ受信信号は、アナログテレビジョン放送チューナ２に入力される。アナログテレビジョン放送チューナ２の出力する映像信号及び音声信号は受像機３に入力される。アナログテレビジョン放送チューナ２は電源４より給電線５を通じて給電される。
【０００３】
緊急警報放送を受信するためには、アナログテレビジョン放送チューナ２の復調系統が動作状態になっている必要がある。一方、受像機３は電源４から給電線６を通じスイッチ７を介して給電される。待機状態にある場合、受像機３の電源はスイッチ７によりオフの状態となっている。
【０００４】
アナログテレビジョン放送チューナ２が緊急警報放送用起動フラグを受信すると、アナログテレビジョン放送チューナ２からスイッチ７にスイッチオン信号８が出力されてスイッチ７がオンとなり、受像機３は給電されて動作状態となる。
【０００５】
なお、ＢＳテレビジョン放送に重畳されて放送される緊急警報放送を受信する緊急警報放送受信システムとして、例えば特許文献１に記載されたシステム等がある。
【特許文献１】特開２００４−２３５９１号公報
【発明の開示】
【発明が解決しようとする課題】
【０００６】
アナログテレビジョン放送と同様に、地上デジタルテレビジョン放送において緊急警報放送による受信機起動を行うには、伝送制御信号の緊急警報放送用起動フラグが受信できるよう地上デジタルテレビジョン放送受信機の復調系統を通電状態で待機させておく必要がある。
【０００７】
図２は、地上デジタルテレビジョン放送受信機の復調系統の一例のブロック図を示す。受信アンテナで受信されたアンテナ受信信号はチャンネル選択部１０に供給され、指定されたチャンネルのＯＦＤＭ（Ｏｒｔｈｏｇｏｎａｌ  Ｆｒｅｑｕｅｎｃｙ  Ｄｉｖｉｓｉｏｎ  Ｍｕ１ｔｉｐ１ｅｘｉｎｇ：直交周波数分割多重）信号の中間周波信号が出力される。この中間周波信号はデジタル化されたのち直交復調部１１で直交復調されて同期再生部１２及びＦＦＴ処理部１３に供給される。
【０００８】
同期再生部１２はモード，ガードインターバル長に応じてＯＦＤＭシンボル同期及びＦＦＴサンプル周波数を再生する。ＦＦＴ処理部１３はＯＦＤＭシンボルの有効シンボル期間についてＦＦＴ（Ｆａｓｔ  Ｆｏｕｒｉｅｒ  Ｔｒａｎｓｆｏｒｍ）演算を行う。フレーム抽出部１４ではＦＦＴ処理部１３の出力するＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ：伝送制御信号）信号からフレーム同期信号を抽出する。ＴＭＣＣ復号部１５ではＴＭＣＣ信号から緊急警報放送用起動フラグを含む各種制御情報を取り出す。
【０００９】
キャリア復調部１６ではＴＭＣＣ情報に応じてキャリア復調を行い、振幅及び位相情報を検出する。デマッピング部１７ではキャリア復調された情報からＱＰＳＫ，１６ＱＡＭ，６４ＱＡＭのデマッピングを行ってビット情報を抽出する。ＴＳ再生部１８ではトランスポートストリーム再生のための処理を行う。ＲＳ復号部１９では短縮化リードソロモン符号の復号を行い、ベースバンドのＭＰＥＧ−ＴＳ（Ｔｒａｎｓｐｏｒｔ  Ｓｔｒｅａｍ）が復号される。
【００１０】
上記の地上デジタルテレビジョン放送受信機の復調系統を通電状態に保つためには、少なくとも数１００ｍＷ程度以上の消費電力が必要であり、電池容量の制約から電池で動作する携帯受信機などにおいては、緊急警報放送による受信機起動は実用的でなく、実現困難であるという問題があった。
【００１１】
本発明は、上記の点に鑑みなされたもので、伝送制御信号を受信するための待機電力を削減することができる伝送制御信号受信装置及びそれを用いた地上デジタルテレビジョン放送受信機を提供することを目的とする。
【課題を解決するための手段】
【００１２】
請求項１に記載の発明は、ＯＦＤＭ信号を構成する複数のキャリアのうち定められた周波数のキャリアを通過させる帯域フィルタ手段と、
前記帯域フィルタ手段の出力信号を直交検波して前記キャリアの直交検波出力を得る直交検波手段と、
前記直交検波出力を遅延検波して前記キャリアによって伝送された伝送制御信号を得る遅延検波手段を
有することにより、
伝送制御信号を受信するための待機電力を削減することができる。
【００１３】
請求項２に記載の発明は、請求項１記載の伝送制御信号受信装置において、
前記帯域フィルタ手段は、デジタルフィルタで構成され、予め求められたフィルタ係数を入れ替えて、通過させる希望周波数のキャリアを切り替えることにより、
通過させる希望周波数のキャリアを簡単に切り替えることができる。
【００１４】
請求項３に記載の発明は、請求項２記載の伝送制御信号受信装置において、
前記直交検波手段が出力する直交検波出力を間引いて前記遅延検波手段に供給するサンプリングレート変換手段を有することにより、
後段の遅延検波手段等の動作速度を低減して消費電力を低減することができる。
【００１５】
請求項４に記載の発明は、請求項１乃至３のいずれかに記載の伝送制御信号受信装置において、
前記直交検波出力の低域成分を通過させて前記遅延検波手段に供給する低域フィルタ手段を有することにより、
隣接キャリアによる希望キャリアヘの干渉妨害の影響を低減させることができる。
【００１６】
請求項５に記載の発明は、請求項１乃至４のいずれかに記載の伝送制御信号受信装置において、
前記ＯＦＤＭ信号は、地上デジタルテレビジョン放送信号であり、
前記遅延検波手段の出力する伝送制御信号から緊急警報放送用起動フラグを検出する検出手段を有することにより、
緊急警報放送用起動フラグを検出できる。
【００１７】
請求項６に記載の発明は、請求項５記載の伝送制御信号受信装置において、
前記帯域フィルタ手段に供給される信号を地上デジタルテレビジョン放送受信機のチューナのＦＦＴ処理部に供給することにより、
伝送制御信号受信装置のＡＤ変換手段等の一部回路を地上デジタルテレビジョン放送チューナと共用化できる。
【００１８】
請求項７に記載の発明は、請求項５または６記載の伝送制御信号受信装置を有する地上デジタルテレビジョン放送受信機であって、
前記伝送制御信号受信装置が伝送制御信号中の緊急警報放送用起動フラグを検出した場合に、地上デジタルテレビジョン放送受信機のチューナの復調／復号部に電源を供給することを特徴とすることにより、
地上デジタルテレビジョン放送受信機における待機電力を削減することができる。
【発明の効果】
【００１９】
本発明によれば、伝送制御信号を受信するための待機電力を削減することができる。
【発明を実施するための最良の形態】
【００２０】
以下、図面を参照して本発明の実施形態について説明する。
【００２１】
ここで、ＯＦＤＭ信号の信号形式としては、例えば国際電気通信連合の勧告（ＩＴＵ−Ｒ  Ｒｅｃ．ＢＴ−１３０６：Ｅｒｒｏｒ−ｃｏｒｒｅｃｔｉｏｎ、ｄａｔａ  ｆｒａｍｉｎｇ，ｍｏｄｕｌａｔｉｏｎ  ａｎｄ  ｅｍｉｓｓｉｏｎ  ｍｅｔｈｏｄｓ  ｆｏｒ  ｄｉｇｉｔａｌ  ｔｅｒｒｅｓｔｒｉａｌ  ｔｅｌｅｖｉｓｉｏｎ  ｂｒｏａｄｃａｓｔｉｎｇ，ＢＳ−１１１４：Ｓｙｓｔｅｍｓ  ｆｏｒ  ｔｅｒｒｅｓｔｒｉａｌ  ｄｉｇｉｔａｌ  ｓｏｕｎｄ  ｂｒｏａｄｃａｓｔｉｎｇ  ｔｏ  ｖｅｈｉｃｕｌａｒ，ｐｏｒｔａｂｌｅ  ａｎｄ  ｆｉｘｅｄ  ｒｅｃｅｉｖｅｒｓ  ｉｎ  ｔｈｅ  ｆｒｅｑｕｅｎｃｙ  ｒａｎｇｅ  ３０−３０００ＭＨｚ）などで規定され、国内では社団法人電波産業会で規定されている地上デジタル音声放送の伝送方式標準規格（ＡＲＩＢ  ＳＴＤ−Ｂ２９）、地上デジタルテレビジョン放送の伝送方式標準規格（ＡＲＩＢ  ＳＴＤ−Ｂ３１）として標準化されている信号を想定しており、図３に示すように、周波数が直交関係にある複数のキャリア１〜ｋを多重化したものである。
【００２２】
図４は、本発明の伝送制御信号受信装置の一実施形態のブロック図を示す。同図中、受信されたＯＦＤＭ信号の中間周波信号（例えば地上デジタルテレビジョン放送ＩＳＤＢ−Ｔの場合は中心周波数８．１２７ＭＨｚ）は、伝送制御信号受信装置２０内のＡＤ変換器２２に供給され、例えばサンプリング周波数３２．５０８ＭＨｚを用いてサンプリングすることでデジタル化される。なお、中間周波信号の中心周波数（例えば中心周波数８．１２７ＭＨｚ）の４×ｎ（ｎは整数）の周波数でサンプリングすることでＡＤ変換器２２の出力は直交検波出力となり、同相検波出力Ｉと直交検波出力Ｑに分離される。
【００２３】
デジタル受信信号はガード相関回路２４に供給され、ＯＦＤＭ信号のガードインターバルを有効シンボル長分遅延させて有効シンボル期間の後側のデータと相関をとることによりガードインターバルの開始タイミングを検出してタイミング再生回路２６及びキャリア再生回路２８に供給する。タイミング再生回路２６ではシンボルタイミングを再生してキャリア再生回路２８に供給し、キャリア再生回路２８で中間周波信号のキャリアが再生される。
【００２４】
ＯＦＤＭ信号のシンボルタイミング再生および中間周波信号のキャリア再生の方法については、例えば特許第３０７４１０３号、特許第２７７４９６１号などに記載されているように、Ｉ，Ｑ信号と、それらを有効シンボル長分遅延させたＩ’，Ｑ’信号との相関出力信号を利用してＡＤ変換器２２のクロックのタイミング制御および局部発振器の周波数制御を行う方法がある。
【００２５】
タイミング再生およびキャリア再生されたＯＦＤＭ信号は図５（Ａ）に破線で示す通過帯域特性を持つ帯域フィルタ回路（ＢＰＦ）３０に供給され、図５（Ｂ）示すキャリア成分が取り出される。
【００２６】
帯域フィルタ３０としては、図６に示すＦＩＲ（有限インパルスレスポンス）フィルタを用いて係数を設定することで実現できる。図６において、ＦＩＲフィルタは、入力信号をシンボル周期で順次遅延する遅延素子５０１〜５０ｋと、遅延素子５０１〜５０ｋそれぞれの出力に係数Ｃ１〜Ｃｋを乗算する乗算器５２１〜５２ｋと、乗算器５２１〜５２ｋそれぞれの出力を加算する加算器５４１〜５４ｋから構成されている。
【００２７】
ここで、入力するＯＦＤＭ信号の全帯域を標本化する場合の周波数帯域を２のべき乗の数となるｋ（例えば８１９２＝２１３）で分割しておく。但し、ｋはＯＦＤＭのキャリア本数（例えば５６１６）以上の整数を必要とする。分割した各領域に対して、帯域フィルタ３０が通過する分割領域に１、その他の分割領域は０とするｋ行のデータ列を用意する。このｋ行のデータ列に対して逆離散フーリエ変換を施すことにより、希望のキャリアのみを通過するインパルスレスポンスを得るためのＦＩＲフィルタの係数Ｃ１〜Ｃｋが得られる。
【００２８】
この係数Ｃ１〜Ｃｋを乗算器５２１〜５２ｋにロードし、ＯＦＤＭ信号のサンプルをＦＩＲフィルタに入力することで、ＦＩＲフィルタは図５（Ａ）に破線で示す通過帯域特性となり、希望のキャリアを出力することができる。
【００２９】
帯域フィルタ３０の係数Ｃ１〜Ｃｋを求める場合の帯域分割数ｋと通常ＯＦＤＭ信号の復調処理に用いるＦＦＴサイズを一致させることにより、ＯＦＤＭ信号から任意のキャリアを抽出する帯域フィルタ３０が実現できる。ＯＦＤＭが地上デジタルテレビジョン放送ＩＳＤＢ−Ｔのモード３とした場合は、１セグメントにＴＭＣＣの含まれるキャリアは４本存在するので、この４本のキャリアそれぞれに対応する係数Ｃ１〜Ｃｋを求めておき、そのうちいずれか１本のキャリアに対応する係数Ｃ１〜Ｃｋを選択して帯域フィルタ３０に設定することでＴＭＣＣの含まれるキャリアを切り替えることができる。
【００３０】
次に、図４に示す有効シンボル区間抽出回路３２によりガードインターバルが挿入されている部分を除去して有効シンボル区間のみを連続出力する。こののち、直交検波回路３４により帯域フィルタ３０の出力信号をベースバンドに変換する。直交検波回路３４は、希望するキャリアの中心周波数である発振信号と、この発振信号をπ／２だけ移相した信号それぞれに、有効シンボル区間抽出回路３２の出力信号をミキシングすることでＩ，Ｑ成分からなる直交検波出力を得る。
【００３１】
次に、サンプリングレート変換回路３６では、サンプリング信号の品質を維持したまま信号サンプルを整数分の１に間引く。直交検波出力はサンプリング周波数に比して狭帯域の信号である。例えば地上デジタルテレビジョン放送ＩＳＤＢ−Ｔの場合、例えば３２ＭＨｚのサンプリング周波数でサンプリングされるのに対し、ＴＭＣＣ信号の周波数は１ｋＨｚ程度であるため、サンプリングレート変換回路３６では、サンプリング信号の品質を維持したまま信号サンプルを整数分の１（例えば２１０分の１程度）に間引く。これにより、後続回路の動作速度を低下させ、つまり消費電力を削減できる。
【００３２】
直交検波回路３４の出力信号は、処理するシンボルの帯域と図５（Ｂ）に斜線で示すように隣接キャリアからの干渉成分が含まれているので、低域フィルタ（ＬＰＦ）３８により隣接キャリアの干渉成分を減少させ、希望の信号を通過させる。
【００３３】
受信キャリアを直交同期検波する場合、シンボルの判定器の入力前で識別判定タイミングが最大のアイ開口時刻になり、搬送波の位相はシンボル識別判定出力で判定誤差が最小になる必要がある。波形等化器４０は、上記機能を実現し、線形歪みをキャンセルしてシンボル識別判定誤差を最小にするよう動作する。
【００３４】
しかるに、受信キャリアが差動位相変調（ＤＢＰＳＫ）信号の場合には、搬送波を再生せず遅延検波回路４２で希望キャリア信号を復調できる。遅延検波回路４２以降は復調出力が地上デジタルテレビジョン放送ＩＳＤＢ−ＴにおけるＴＭＣＣ信号の場合を示す。
【００３５】
図７に示す地上デジタルテレビジョン放送の送信装置においては、ＴＭＣＣ信号は、インターリーブ処理を行わずにＯＦＤＭフレーム構成部５６に供給されて、インターリーブ処理されたＴＳ信号と共にＯＦＤＭフレーム化される。これは、図８に示すように、ＴＭＣＣ信号は常に定められた周波数のキャリアで伝送されることを意味している。なお、図８は、地上デジタルテレビジョン放送ＩＳＤＢ−Ｔのモード３、１セグメントにおけるＯＦＤＭフレームの構造図を示している。
【００３６】
直交検波回路３４の出力信号はＤＢＰＳＫ信号であるため、図９に示す遅延検波回路４２で復調できる。図４の直交検波回路３４の出力する複素信号のＩ，Ｑ成分それぞれは、図９において直接及び遅延素子６０で１シンボル周期遅延されて乗算器６２に供給され、ここで得られた位相差Δθ＝ｔａｎ−１（Ｑｎ／Ｉｎ）−ｔａｎ−１（Ｑｎ−１／Ｉｎ−１）が判定器６４に供給される。判定器６４は、この位相差Δθを所定の閾値と比較することで判定を行い、遅延検波されたＴＭＣＣ信号を出力する。
【００３７】
ＴＭＣＣ信号は、図１０に示すように、先頭のビットＢ０が差動復調の基準であり、ビットＢ１〜Ｂ１６がフレーム同期信号、ビットＢ１７〜Ｂ１９がセグメント形式識別、ビットＢ２０〜Ｂ１２１がＴＭＣＣ情報、ビットＢ１２２〜Ｂ２０３が誤り訂正用パリティビットである。このうちビットＢ２６が緊急警報放送用起動フラグとされ、ビットＢ２６は値１のとき「起動制御あり」を示す。
【００３８】
ＴＭＣＣフレーム同期部４４では、２０４シンボル周期のＴＭＣＣ信号のビットＢ０〜Ｂ１９と、既知のフレーム同期信号との相関によりＴＭＣＣフレームの先頭を検出して、２０４ビットのＴＭＣＣフレームを出力する。なお、フレーム同期が確立しない場合には、帯域フィルタ３０の係数Ｃ１〜Ｃｋを切り替え同じセグメントの他のＴＭＣＣを切り替え受信することでＴＭＣＣ受信機としての性能を向上させることができる。
【００３９】
ＴＭＣＣフレームはＥＷＳ（緊急警報放送用起動フラグ）検出回路４６に供給され、ここで２０４ビットのＴＭＣＣフレームの第２６ビットの緊急警報放送用起動フラグの有無を常時監視される。ＥＷＳ検出回路４６は緊急警報放送用起動フラグの値が「１：起動制御あり」であることを検出すると、値１のＥＷＳ検出信号を出力する。なお、ＥＷＳ検出回路４６は、緊急警報放送用起動フラグの値が「１」のフレームが所定フレーム数だけ連続した場合にのみ、値１のＥＷＳ検出信号を出力し、緊急警報放送用起動フラグの検出精度を向上させる構成としても良い。
【００４０】
ここで、地上デジタルテレビジョン放送ＩＳＤＢ−Ｔにおいて、緊急警報放送用起動フラグが含まれているＴＭＣＣ信号のキャリアのみを帯域フィルタ３０で抽出した場合のシミュレーションの結果を図１１乃至図１３に示す。シミュレーション条件として、入力ＯＦＤＭ中間周波信号は地上デジタルテレビジョン放送ＩＳＤＢ−Ｔのモード３、１セグメント信号とした場合、キャリア再生回路２８の出力信号の周波数スペクトラムは図１１に示すようになる。この場合、ＴＭＣＣの含まれるキャリアは４本存在する。そのうち１本のキャリアを帯域フィルタ３０で抽出した信号の周波数スペクトラムは図１２に示すようになる。更に、直交検波後のコンスタレーションは図１３に示すようになる。
【００４１】
以上示したように、伝送制御信号受信装置はＴＭＣＣ信号のキャリアのみを復調するので地上デジタルテレビジョン放送チューナの回路に対して相当小規模であり、更に直交検波出力のサンプリングレートを間引くことで後段の動作電力は更に低減する。従って、従来の地上デジタルテレビジョン放送チューナに比べて大幅に消費電力を小さくすることが期待できる。
【００４２】
図１４は、本発明の伝送制御信号受信装置を適用した地上デジタルテレビジョン放送受信機の一実施形態のブロック図を示す。同図中、受信アンテナ７０からのアンテナ受信信号は地上デジタルテレビジョン放送チューナ７１のチャンネル選択部７２に供給され、指定されたチャンネルのＯＦＤＭ信号の中間周波信号が出力される。このＯＦＤＭ信号の中間周波信号は伝送制御信号受信装置７４と地上デジタルテレビジョン放送チューナ７１の復調／復号部７６に供給される。伝送制御信号受信装置７４は図４に示す構成である。
【００４３】
復調／復号部７６は例えば図２の構成からチャンネル選択部１０を除いた構成であり、その出力する映像信号及び音声信号は受像機７８に供給される。復調／復号部７６は電源８０よりスイッチ８２を介して給電される。受像機７８は電源８０からスイッチ８４を介して給電される。待機状態にある場合、復調／復号部７６の電源はスイッチ８２によりオフの状態となっており、受像機７８の電源はスイッチ８４によりオフの状態となっている。
【００４４】
伝送制御信号受信装置７４は、電源８０から給電され常時動作状態にある。伝送制御信号受信装置７４は地上デジタルテレビジョン放送波のＴＭＣＣ信号に含まれる緊急警報放送用起動フラグが値１となると、値１のＥＷＳ検出信号をスイッチ８２に供給してオン状態にし、地上デジタルテレビジョン放送チューナ７１の復調／復号部７６を起動させる。復調／復号部７６は、ここで初めて緊急警報放送が受信可能な状態になる。復調／復号部７６が緊急警報放送用起動フラグを受信すると、復調／復号部７６からスイッチ８４にスイッチオン信号が供給されてスイッチ８４がオンとなり、受像機７８は電源８０から給電されて動作状態となる。なお、値１のＥＷＳ検出信号によってスイッチ８２，８４を共にオンさせても良い。
【００４５】
図１５は、本発明の伝送制御信号受信装置の変形例のブロック図を示す。図１５において、図４と異なるところは、キャリア再生回路２８の出力信号をＦＦＴ処理部９０に供給する点である。ＦＦＴ処理部９０は地上デジタルテレビジョン放送チューナの一部を構成しており、図２ではＦＦＴ処理部１３に相当する。ここでも、ＦＦＴ処理部９０を含む地上デジタルテレビジョン放送チューナの復調／復号部は、ＥＷＳ検出回路４６から値１のＥＷＳ検出信号が出力されることにより電源を供給される。
【００４６】
この変形例では、伝送制御信号受信装置２０内のＡＤ変換器２２，ガード相関回路２４，タイミング再生回路２６，キャリア再生回路２８を地上デジタルテレビジョン放送チューナと共用化することができ、回路規模を縮小することができる。
【００４７】
なお、上記実施形態では、緊急警報放送用起動フラグを受信することを例にとって説明したが、変調波の伝送制御等に関する付加情報を伝送するＡＣ（Ａｕｘｉｌｉａｒｙ  Ｃｈａｎｎｅｌ）を受信する伝送制御信号受信装置に適用しても良く、上記実施形態に限定されるものではない。また、ＴＭＣＣの差動復調基準１ビットと同期信号１６ビット及びセグメント形式識別３ビットの合計２０ビットを正常に受信した確率を求め、上記確率から受信状態を評価することなどに応用できる。
【００４８】
なお、帯域フィルタ３０が請求項記載の帯域フィルタ手段に対応し、直交検波回路３４が直交検波手段に対応し、遅延検波回路４４が遅延検波手段に対応し、ＡＤ変換器２２がＡＤ変換手段に対応し、サンプリングレート変換回路３６がサンプリングレート変換手段に対応し、低域フィルタ３８が低域フィルタ手段に対応し、ＥＷＳ検出回路４６が検出手段に対応する。
【図面の簡単な説明】
【００４９】
【図１】従来の緊急警報放送を受信するアナログテレビジョン放送受信機の一例のブロック図である。
【図２】地上デジタルテレビジョン放送受信機の復調系統の一例のブロック図である。
【図３】ＯＦＤＭ信号を説明するための図である。
【図４】本発明の伝送制御信号受信装置の一実施形態のブロック図である。
【図５】帯域フィルタ回路を説明するための周波数スペクトラムである。
【図６】ＦＩＲフィルタのブロック図である。
【図７】地上デジタルテレビジョン放送の送信装置のブロック図である。
【図８】ＯＦＤＭフレームの構造図である。
【図９】遅延検波回路のブロック図である。
【図１０】ＴＭＣＣ信号のビット構造を示す図である。
【図１１】キャリア再生回路出力のシミュレーション結果を示す図である。
【図１２】帯域フィルタ出力のシミュレーション結果を示す図である。
【図１３】直交検波後のコンスタレーションのシミュレーション結果を示す図である。
【図１４】本発明の伝送制御信号受信装置を適用した地上デジタルテレビジョン放送受信機の一実施形態のブロック図である。
【図１５】本発明の伝送制御信号受信装置の変形例のブロック図である。
【符号の説明】
【００５０】
２０  伝送制御信号受信装置
２２  ＡＤ変換器
２４  ガード相関回路
２６  タイミング再生回路
２８  キャリア再生回路
３０  帯域フィルタ
３２  有効シンボル区間抽出回路
３４  直交検波回路
３６  サンプリングレート変換回路
３８  低域フィルタ
４０  波形等化器
４２  遅延検波回路
４４  ＴＭＣＣフレーム同期部
４６  ＥＷＳ検出回路
５０１〜５０ｋ，６０  遅延素子
５２１〜５２ｋ  乗算器
５４１〜５４ｋ  加算器
５６  ＯＦＤＭフレーム構成部
６２  乗算器
６４  判定器
７０  受信アンテナ
７１  地上デジタルテレビジョン放送チューナ
７２  チャンネル選択部
７４  伝送制御信号受信装置
７６  復調／復号部
７８  受像機
８０  電源
８２，８４  スイッチ
９０  ＦＦＴ処理部
【図１】
2005333512.tif 000003
【図２】
2005333512.tif 000004
【図３】
2005333512.tif 000005
【図４】
2005333512.tif 000006
【図５】
2005333512.tif 000007
【図６】
2005333512.tif 000008
【図７】
2005333512.tif 000009
【図８】
2005333512.tif 000010
【図９】
2005333512.tif 000011
【図１０】
2005333512.tif 000012
【図１１】
2005333512.tif 000013
【図１２】
2005333512.tif 000014
【図１３】
2005333512.tif 000015
【図１４】
2005333512.tif 000016
【図１５】
2005333512.tif 000017